(57)【特許請求の範囲】
【請求項１】
呼を複数の移動通信ユニットへ向けるための初期ルーティングノードと１つ以上のスイッチングノードと、前記初期ルーティングノードと複数の移動体交換ノードとに接続された移動局加入者データベースとを備えた移動通信ネットワークにおいて、
発呼者から移動通信ユニットの１つへ発呼するステップと、
初期ルーティングノードにおいて、発呼者の発呼者識別を検出するステップと、
前記１つの移動通信ユニットに現在のサービング移動体交換ノードがどれかを判定するステップと、
発呼者識別を初期ルーティングノードからホームロケーションレジスタ（ＨＬＲ）である移動局加入者データベースへ送信するステップと、
発呼者識別をホームロケーションレジスタ（ＨＬＲ）である移動局加入者データベースからサービング移動体交換ノードと関係づけられた在圏ロケーションレジスタ（ＶＬＲ）へ提供し、移動通信ユニットと関連したローミング番号を得るステップと、
ローミング番号をホームロケーションレジスタ（ＨＬＲ）から初期ルーティングノードに送り、初期ルーティングノードが、前記ローミング番号を使用して、呼をサービング移動体交換ノードにルーティングするステップと、
サービング移動体交換ノードにルーティングされた呼に発呼者識別を提供し、移動通信ユニットへ配信するステップとから成ることを特徴とする方法。
【請求項２】
移動通信ネットワークが、各移動体交換ノードに接続された１つ以上の基地局を備え、
前記配信するステップが、更に、
発呼者識別を基地局の１つに送り、その基地局が発呼者識別を前記１つの通信ユニットへ送信するステップを含むことを特徴とする請求項１に記載の方法。
【請求項３】
更に、初期ルーティングノードから移動局加入者データベースへ付加的呼パラメータを送るステップを含むことを特徴とする請求項１に記載の方法。
【請求項４】
前記ホームロケーションレジスタ（ＨＬＲ）が、複数のホーム移動局用の移動ユニット識別、加入、および位置情報を記憶し、各移動体交換ノードと関係づけられた在圏ロケーションレジスタ（ＶＬＲ）が、複数のビジティング移動局のための移動ユニット識別、加入、及び位置情報を記憶し、前記方法は、更に、
初期ルーティングノードが、呼をサービング移動体交換ノードへルーティングするための情報用のＨＬＲの問合せの一部として、発呼者識別をＨＬＲに送るステップと、
ＨＬＲが、サービング移動体交換ノードのＶＬＲから、前記ローミング番号を得るステップとを含むことを特徴とする請求項１に記載の方法。
【請求項５】
各移動通信ユニットがディスプレイを備え、
前記方法が更に、発呼者識別を移動通信ユニットに表示するステップを含むことを特徴とする請求項１に記載の方法。
【請求項６】
移動通信ユニットが、移動通信ネットワークにより提供される発呼者表示サービスへの対応の加入を持っているかどうかを判定するステップを更に含むことを特徴とする請求項１に記載の方法。
【請求項７】
発呼者識別が電話番号であることを特徴とする請求項１に記載の方法。
【請求項８】
発呼者識別が番号プラン電話番号からの専用番号であることを特徴とする請求項１に記載の方法。
【請求項９】
前記初期ルーティングノードがゲートウェイ移動交換局であることを特徴とする請求項１に記載の方法。
【請求項１０】
呼が、異なった移動通信ネットワークを介して扱われることを特徴とする請求項１に記載の方法。
【請求項１１】
呼が、２か国以上からの移動通信ネットワークを介して扱われることを特徴とする請求項１に記載の方法。
【請求項１２】
呼があったときに、前記１つの移動通信ユニットが外国の移動通信ネットワークにローミングしていることを特徴とする請求項１に記載の方法。
【請求項１３】
専用番号プランを設定するステップであって、１つ以上の移動通信ユニットを含む専用番号プランのメンバーが専用発信呼番号をダイヤルすることによってコミュニケーションを取るステップと、
発呼者表示サービスを提供するステップであって、発呼者から移動通信ユニットの１つに発呼されると、その発呼側に対応する専用発呼者識別が、その移動通信ユニットに表示されるステップとをさらに含むことを特徴とする請求項１又は１０又は１１又は１２に記載の方法。
【請求項１４】
専用発呼者識別が、短縮された電話番号であることを特徴とする請求項１３に記載の方法。
【請求項１５】
更に、前記１つの移動通信ユニットが発呼者表示サービスの加入者であるかどうかを、短縮発呼者識別がその移動通信ユニットに表示される前に、判定するステップを含むことを特徴とする請求項１３に記載の方法。
【請求項１６】
移動通信ネットワークが、複数のサービスルーティングノードとサービス論理ノードとに接続された初期サービス検出・ルーティングノードを備えており、
前記方法が、更に、
仮想私設網サービスを、対応のサービス論理とサービストリガーと共に設定するステップと、
初期サービス検出・ルーティングノードにおいて、呼が専用番号プランのメンバーの１つに対するものであるかを判定するステップと、
もしそうであれば、呼に関するパラメータをサービス論理ノードに送り、呼と関係する特定番号を対応の発呼者識別に変換するステップとを備えることを特徴とする請求項１３に記載の方法。
【請求項１７】
サービス論理が専用発呼者識別を初期サービス検出・ルーティングノードに返すことを特徴とする請求項１６に記載の方法。
【請求項１８】
移動通信ネットワークが移動局加入者データベースを備え、前記方法が更に、
専用発呼者識別を移動局加入者データベースに送るステップと、
どの移動体交換ノードが、前記１つの移動通信ユニットに対する現在のサービングノードであるかを判定するステップと、
検出された専用発呼者識別を移動局加入者データベースから、移動通信ユニットに対する現在のサービング移動体交換ノードへ送るステップとを備えることを特徴とする請求項１３に記載の方法。
【請求項１９】
更に、専用発呼者識別を、移動通信ユニットに現在のサービング移動体交換ノードから、移動通信ユニットへ送るステップを備えること特徴とする請求項１８に記載の方法。
【請求項２０】
初期呼ルーティングノードと、初期呼ルーティングノードに接続され、呼を移動通信ユニットに送る複数の移動体交換ノードと、初期呼ルーティングノードと移動体交換ノードに接続された移動局加入者データベースとを備えた移動通信ネットワークにおいて発呼者識別サービスを提供するための前記初期呼ルーティングノードの装置であって、
前記装置は、移動通信ネットワーク内に現在位置する移動通信ユニットに対する呼を受信し、発呼者の発呼者識別を検出し、どの移動体交換ノードが移動通信ユニットに対する現在のサービング移動体交換ノードであるかを判定し、ホームロケーションレジスタ（ＨＬＲ）である移動局加入者データベースを使用して、検出された発呼者識別を、移動通信ユニットに対する現在のサービング移動体交換ノードに関係づけられた在圏ロケーションレジスタ（ＶＬＲ）に送って、ホームロケーションレジスタ（ＨＬＲ）を介して被呼移動通信ユニットと関連したローミング番号を得、前記ローミング番号を利用して前記呼を前記現在のサービング移動体交換ノードにルーティングすることで前記呼を移動通信ユニットに配信することを特徴とする装置。
【請求項２１】
呼が異なった移動通信ネットワークを介して扱われることを特徴とする請求項２０に記載の装置。
【請求項２２】
呼が２か国以上からの移動通信ネットワークを介して扱われることを特徴とする請求項２０に記載の装置。
【請求項２３】
発呼された時点で、移動通信ユニットが、外国の移動通信ネットワークにローミングしていることを特徴とする請求項２０に記載の装置。
【請求項２４】
移動通信ネットワークが更に、移動体交換ノードに接続された１つ以上の基地局を備え、サービング移動体交換ノードが、発呼者識別を基地局の１つに送り、その基地局が発呼者識別を移動通信ユニットに送信することを特徴とする請求項２０に記載の装置。
【請求項２５】
ホームロケーションレジスタ（ＨＬＲ）が、複数のホーム移動通信ユニット用の移動ユニット識別、加入、位置情報を記憶し、各移動体交換ノードに関係づけられた在圏ロケーションレジスタ（ＶＬＲ）が、複数のビジティング移動ユニット用の移動ユニット識別、加入、位置情報を記憶し、
初期呼ルーティングノードが、ＨＬＲに、発呼者識別を、サービング移動体交換ノードへの呼をルーティングするための情報用のＨＬＲの問合せの一部として送り、
ＨＬＲは前記ＶＬＲから前記ローミング番号を得ることを特徴とする請求項２０に記載の装置。
【請求項２６】
初期呼ルーティングノードが移動体交換ノードであることを特徴とする請求項２０に記載の装置。
【請求項２７】
発呼者識別が専用番号であって、その専用番号は、移動通信ユニットが加入者となっている専用番号プランサービスと関連した専用番号であることを特徴とする請求項２０に記載の装置。
【請求項２８】
前記移動通信ネットワークは、前記移動通信ユニットとの無線通信と、発呼者識別サービスを含む複数の移動通信サービスとをサポートし、前記装置は、サービス交換ノードを有し、
前記移動通信ネットワークは、前記サービス交換ノードと通信し合うサービス制御ノードと、移動ユニット識別、位置、及びサービス情報を記憶する移動通信データベースとを備え、
前記サービス交換ノードは、移動通信ネットワークにおいて、呼から移動通信ユニットへの呼を検出し、発呼者の発呼者識別を含むサービス問い合わせを前記サービス制御ノードに送り、
前記サービス制御ノードは、発呼者識別を仮想私設網（ＶＰＮ）識別に変換し、前記サービス交換ノードに、前記移動通信ユニットに対する現在のサービング移動体交換ノードへ呼を送らせることを特徴とする請求項２０に記載の装置。
【請求項２９】
前記サービス交換ノードがＶＰＮ識別を前記移動通信データベースに送り、
前記移動通信データベースは、呼ルーティングの際にＶＰＮ識別を前記移動体交換ノードに送り、前記移動通信ユニットへ配信させることを特徴とする請求項２８に記載の装置。
【請求項３０】
発呼者から複数の移動通信ユニットの１つに発呼を行い、前記１つの移動通信ユニットに対する現在のサービング移動体交換ノードを決定するように適合された移動通信ネットワークにおける移動局加入者データベースを備えたロケーションレジスタ装置であって、
前記移動通信ネットワークは、前記発呼者の発呼者識別を検出するように適合された初期呼ルーティングノードと、呼を前記複数の移動通信ユニットに送る１つ以上の移動体交換ノードとを含み、
前記移動局加入者データベースは、
前記初期呼ルーティングノードと前記１つ以上の移動体交換ノードに接続され、
前記初期呼ルーティングノードからの前記発呼者識別を受信し、
前記サービング移動体交換ノードに前記発呼者識別を提供して、被呼移動通信ユニットのローミング番号を得、前記ローミング番号を前記初期呼ルーティングノードに送り、前記初期ルーティングノードが前記ローミング番号を用いて前記サービング移動体交換ノードに前記呼をルーティングさせるようにし、前記発呼者識別を前記サービング移動体交換ノードにルーティングされた呼に提供して、前記１つの移動通信ユニットに配信させることを特徴とするロケーションレジスタ装置。
【発明の詳細な説明】
【０００１】
（技術分野）
本発明は、セルラ移動無線通信ネットワークにおいて単独加入者付加サービスを提供するためのシステムに関する。本発明の具体的なサービス例は、移動無線加入者に対する発呼者識別である。
【０００２】
（背景技術）
セルラ電話システムのような移動無線通信ネットワークにおいて、隣り合う無線セルは、サービスを受ける地域をカバーする。各セルは、無線チャンネルの集合上で作動する基地局(ＢＳ)を持つ。基地局のグループを制御するのは、公衆電話交換網（ＰＳＴＮ）、統合サービスデジタル通信網（ＩＳＤＮ）、及び公衆陸上移動通信網（ＰＬＭＮ）への呼、及び、これらからの呼を制御する移動交換局（ＭＳＣ）である。ＭＳＣは、典型的には、呼の交換、ルーティング、課金を行う。
【０００３】
移動局の加入者に、付加サービスを提供する場合、そのサービスが受けられるようになる前に、典型的には個人加入を必要とするのが望ましい。そのような付加サービスが提供されるシステムの１つに、汎欧州デジタル移動電話方式（Global System for Mobile communications, ＧＳＭ）がある。例えば、欧州電気通信標準化協会（European Telecommunication Standards Institute, ＥＴＳＩ）により公開されているＧＳＭ技術仕様書03.78、第5.0.0版、移動体ネットワーク強化論理用カスタマイズされたアプリケーション（ＣＡＭＥＬ）を参照。
【０００４】
単独加入者付加サービスは、２つのタイプに分けることができる。１つは、発呼プロセスを変更するか補足するもの（以下、Ａ−加入者サービスと呼ぶ）であり、１つは、着呼プロセスを変更または補足するもの（以下、Ｂ−加入者サービスと呼ぶ）である。本発明は、Ｂ−加入者サービスに関するもので、呼関連情報がＢ−加入者の移動に提供される。そのような呼関連パラメータの１つとして、発呼者側の電話番号などの情報があり、発信番号識別表示（calling line identification presentation, ＣＬＩＰ）と呼ばれることがある。
【０００５】
固定電話ネットワークでは、自動番号識別（automatic number identification,ＡＮＩ）サービスが知られているが、移動電話ネットワークでも、そのような識別を、確実に、ローミング移動局の加入者に提供すべく挑戦している。実際、絶えず移動している移動局に着信する呼を発するには、移動通信ネットワークに複数のデータベースを備え、移動局を追いかけなければならない。例えば、ＧＳＭのような多くの移動通信ネットワークが、ホームロケーションレジスタ（home location register, ＨＬＲ）データベースノードを採用している。ＨＬＲは、いろいろな移動局の加入者の加入状況だけでなく、移動局の位置も記憶する。特に、ＨＬＲは、移動局の現在位置に現在サービスを行っている移動交換局を識別する情報を記憶している。この情報は、移動局が移動するにつれて更新されてゆき、移動局にその位置をＨＬＲによって登録させるのに、移動交換局（ＭＳＣ）を使用させる。より具体的には、１つの移動局が新しい移動交換局領域に入り込む（ロームする）と、それは、新しいＭＳＣによって登録し、ＭＳＣは、ＨＬＲからの移動局についてのデータを要求する。それと同時に、移動局が現在どのＭＳＣ領域に位置しているかがＨＬＲに知らされる。従って、移動局が発呼するときには、ＭＳＣはすでに、ＨＬＲにたずねるまでもなく、呼セットアップに必要な情報を持っている。
【０００６】
移動局の位置をモニターするのに、ＭＳＣと関連した（普通、一緒に設置された）在圏ロケーションレジスタ（visitor location register, ＶＬＲ）も使用されている。ＶＬＲは、臨時の加入者に対してサービスを提供するためにＭＳＣが必要とする臨時加入者情報を含み、“分散”（distributed）ＨＬＲとして見ることができる。移動局が新しいＭＳＣサービス領域に入る（ロームする）と、そのＭＳＣと関連するＶＬＲが、ＨＬＲからその移動局についてのデータを要求し、それを記憶する。簡単に言うと、ＶＬＲを使用して、入ってきた（ローミングしてる）移動局にサービスを提供するわけである。
【０００７】
移動体を宛先とする呼が移動体ネットワークに入る最初のあるいはゲートウェイ移動交換局から、サービングＭＳＣ／ＶＬＲへ呼がセットアップされた時、発呼者の番号は提供されないか、あるいは容易にアクセスできない。例えば、着信移動局の加入者が、在圏移動体ネットワークでローミングしている時には、在圏ネットワークへの呼を搬送するトランジットネットワークは、ふつう、発呼者の情報を提供しないか、提供できないかのどちらかである。また、発呼者の番号の転送を含まない様々の通信キャリア間の相互接続協定もある。
【０００８】
また、現時点では、仮想私設網(virtual private network, ＶＰＮ)専用番号プラン内で、発呼者識別サービスを結合するための設備がないという問題もある。特に、ＶＰＮ番号プラン（従来の長さ又はフォーマットされた電話番号より）に従った移動局と関連した専用番号は、移動局の加入者が特定の呼に提供される呼セットアップメッセージ情報の一部として登録される移動交換局へは転送されない。この問題は、ＶＰＮサービスが、セルラプロバイダネットワークを超える場合、あるいは、国境を超える場合に、更に深刻となる。
【０００９】
（発明の要約）
従って、本発明の目的は、移動局の加入者に、信頼性が高く包括的な発呼者識別サービスを提供することである。
【００１０】
また、本発明の目的は、発呼者番号を、外国の移動体通信ネットワーク内をローミングしている移動局の加入者に転送するための改善された、より信頼性の高い方法を提供することである。
【００１１】
更に、本発明の目的は、専用ネットワークで使用されているような専用番号プランと関連した専用番号を使用して、移動局の加入者への発呼者を特定する発呼者識別サービスを提供することである。
【００１２】
これらの目的やその他の目的は、本発明によって、少なくとも部分的に、公衆電話番号と専用（私設）電話番号とを含む発呼者情報を、ルーティング問合せ手順の一部として着呼側の移動体ネットワーク内の移動体データベースへ送ることによって達成することができる。移動体データベースは、発呼者識別を移動交換局へ送り、移動交換局では、被呼移動局が問合せ手順の一部として登録される。移動交換局は、その発呼者識別を、その呼に割り当てられたローミング番号と一緒に記憶する。呼が移動交換局にルーティングされると、記憶された発呼者識別が、呼セットアップ情報と一緒に移動ユニットに送られ、最終的に、移動ユニットによって加入者へ表示される。
【００１３】
本発明の第１実施の形態において、移動通信ネットワークは、初期ルーティングノードと、呼を複数の移動通信ユニットへ向けるための１つ以上の移動体交換ノードとを備える。移動局加入者データベースが、初期ルーティングノードと、複数の移動体交換ノードとへ接続される。発呼者から移動通信ユニットの１つへ発呼がなされると、初期ルーティングノードにおいて、発呼者の発呼者識別が検出される。どの移動体交換ノードが被呼移動通信ユニットに対して現在サービスを行っているのかが識別される。発呼者識別は、信号情報として初期ルーティングノードから移動局加入者データベースへ送られる。次に、発呼者識別は、移動局加入者データベースから、サービング移動体交換ノードへ提供され、無線通信インタフェースにより基地局を介して、被呼移動通信ユニットに送られる。より具体的には、移動局加入者データベースは、複数の移動ユニット用に、移動ユニット識別、加入、位置情報を記憶するホームロケーションレジスタ(ＨＬＲ)ノードであってよい。各移動体交換ノードは、それらの新しい移動ユニット用に移動ユニット識別、加入、位置情報を記憶する在圏ロケーションレジスタ(ＶＬＲ)と関係づけられている。
【００１４】
このように、本発明による発呼者識別サービスは、必要な発呼者識別情報を、異なった移動通信ネットワークを介して、時には２か国にまたがって、高い信頼性で効果的に提供することによって、ローミングしている加入者が効果的にサービスを受けることができる。
【００１５】
本発明の他の応用例として、専用番号プランサービスと関連して実現することができる。即ち、専用番号プランのメンバー（１つ以上の移動通信ユニットを含む）が、いわゆる短縮番号や内線などの専用呼び出し番号をダイヤルすることによって通信する場合である。発呼者識別サービスは、次のように提供される。発呼者からメンバー移動通信ユニットの１つに発呼されると、その発呼者に対応する専用発呼者番号が、移動通信ユニットに表示される。
【００１６】
このような専用番号プランがしばしば採用される例として、仮想私設網（ＶＰＮｓ）があり、インテリジェントネットワーク（ＩＮ）型サービス論理を使用して導入される。初期サービス検出と、ルーティングノードは、呼が、専用番号プランのメンバーに向けられているものかどうかを検出する。もし、そうなら、その呼に関連するパラメータがサービス論理ノードに送られ、そこで、その呼と関連した識別番号が、対応の専用発呼者識別に変換される。サービス論理は、専用発呼者識別を初期サービスと検出ルーティングノードへ戻す。次に、専用発呼者識別は、移動局加入者データベースに送られる。被呼移動通信ユニットにサービスを行っている移動体交換ノードが識別されると、専用発呼者識別が、移動局加入者データベースから、そのサービング移動体交換ノードへ送られ、最終的に、被呼通信ユニットへ、呼と一緒に送られる。
【００１７】
（図面の詳細な説明）
以下、限定ではなく説明のために、特定の実施の形態、データの流れ、シグナリングの実施、インタフェース、技術など、特定の詳細が述べられるが、これらは、本発明を完全に理解できるようにするためのものである。ただし、当業者であればわかるように、本発明は、これらの特定の詳細からはなれた他の実施の形態においても実現することができる。例えば、本発明は、ＧＳＭ用語を使用して、セルラ電話ネットワークの文脈で説明されるが、当業者であれば、本発明がどんなセルラ電話システムにも応用できることがわかるであろう。また、よく知られた方法、インタフェース、デバイス、信号技術などの詳細な説明は省略して、本発明の説明が不要な詳細によってぼけないようにしてある。
【００１８】
図１は、本発明が導入された移動通信システム１０の例を示す。移動通信システム１０は、ゲートウェイ移動交換局（ＧＭＳＣ）１２を備え、それが、公衆電話交換網（ＰＳＴＮ）、ＩＳＤＮ又はセルラネットワークなどのような他の通信ネットワークとインタフェースを持つ。ゲートウェイ移動交換局１２は、移動通信システム１０内に備えられた１つ以上の他の移動交換局（ＭＳＣ）１４に接続される。ゲートウェイＭＳＣは、公衆陸上移動通信網（ＰＬＭＮ）１０内において、移動局の加入者への呼が入る点である。従って、各移動体への着呼は、ＧＭＳＣ１２を介してルーティングされなければならない。ＧＭＳＣ１２は、移動体への着呼セットアップに必要なホームロケーションレジスタ（ＨＬＲ）１６からの情報を取り出すためのシグナリング機能を含む。被呼移動局に現在サービスを行っているＭＳＣ／ＶＬＲを識別するための問合せの結果に基づいて、呼がＧＭＳＣ１２によってルーティングされる。ＧＭＳＣは、説明を明確にするために、別個のノードとして示されているが、ＭＳＣ／ＶＬＲノードと一緒の位置に置くこともできる。
【００１９】
各移動交換局１４は、図１に移動局（ＭＳ）２０として示されている少なくとも１つの移動又は携帯通信ユニットに関与する呼と関連した電話交換機能を実行する。各移動交換局１４には、在圏ロケーションレジスタ(ＶＬＲ)１５が備えられ、それが、現在ＭＳＣのサービスエリア内に位置するすべての移動局についての情報を含むデータベースを備える。ＶＬＲ１５は、ＭＳＣ１４が在圏／ローミング移動局の加入者へサービスを提供するのに必要な一時的加入者情報を含んでいる。１つの移動局が新しいＭＳＣサービスエリアに入り込む（ローミングする）と、そのＭＳＣと関連したＶＬＲが、ホームロケーションレジスタ（ＨＬＲ）１６からその移動局に関するデータを要求し、それを記憶する。このように、ローミング移動局が発呼した場合、ＶＬＲは、すでに呼セットアップに必要な情報を持っている。在圏ロケーションレジスタ１５は、スタンドアロンノードであってもよい。ただし、本好ましい実施の形態においては、ＶＬＲ１５は、ＭＳＣ１４と統合されていて、２つのノード間でネットワークを介したシグナリングを不要にし、つまり、内部的シグナリングを行うことによって、ネットワークの信号負荷を減らしている。
【００２０】
ホームロケーションレジスタ１６は、加入を記憶し管理するデータベースである。各「ホーム」移動局の加入者に対して、ＨＬＲは、永久的な加入者データを持っている。例えば、公衆加入電話網番号プランにおいて移動電話加入を一義的に識別する移動局ＩＳＤＮ (ＭＳＩＳＤＮ)や、各加入者に一義的に配置され、ＰＬＭＮ１０におけるすべての信号に使用される国際移動電話加入者ＩＤ（ＩＭＳＩ）である。ネットワーク関連加入者情報は、すべて、ＩＭＳＩに接続されている。ＨＬＲ１６も、移動局の加入者が、ＶＬＲアドレスに対応する現在の加入者ロケーション番号と共に使用することのできるサービスのリストを持っている。ＨＬＲは、ＭＳＣ／ＶＬＲと同じノードに統合することもできるし、あるいは、図１に示された実施の形態に示されたように、別個に導入してもよい。
【００２１】
サービングＭＳＣ／ＶＬＲノードが識別されると、移動局２０の１つに向けられた呼が、そのＭＳＣ／ＶＬＲによって、被呼移動局２０が現在位置するセルと関係した基地局へルーティングされる。よく知られたプロトコル、手順を使用して、その呼は、無線インタフェースを介して、その基地局によって、被呼移動局２０へ送られる。
【００２２】
ＰＬＭＮ１０において移動局への呼をルーティングするための一般的手順について説明する。例えば、発呼者「Ａ」から、ＰＬＭＮ１０内の移動局２０の１つに対応する被呼者「Ｂ」に発呼されたとする。このようにして、番号ダイヤルされたＡ即ち移動局ＩＳＤＮ番号（ＭＳＩＳＤＮ）がＰＳＴＮ交換機で分析されて、その呼が移動局の加入者に対するものであることが決定される。その呼は、被呼移動局ＢのホームＰＬＭＮ１０内の最も近いＧＭＳＣ１２にルーティングされる。
【００２３】
ルーティングされた呼に対するＭＳＩＳＤＮを分析した後、ＧＭＳＣ１２は、ＨＬＲ１６にシグナリングメッセージを送り、移動局が一時的に登録されているサービングＭＳＣ／ＶＬＲに呼をルーティングするのに使用される情報を要求する。ＭＳＩＳＤＮを使用して、ＨＬＲ１６は、移動局の加入者Ｂに対するＩＭＳＩとデータ記録を取り出す。この移動局に対するサービングＶＬＲのアドレスが受け取られるのは、移動局がＰＬＭＮ１０に登録された時であるから、ＨＬＲ１５はサービングＶＬＲと接触して、ローミング番号を入手する。ＶＬＲは、ローミング番号をＨＬＲ１５に送り、ＨＬＲは、そのローミング番号をＧＭＳＣ１２に送り、これにより、ＧＭＳＣは、実際の呼をサービングＭＳＣ１４にルーティングする。ＭＳＣは、移動局が位置するロケーションエリアを知っているので、知られている手順に従って、ページングメッセージと呼を移動局へ送る。
【００２４】
移動局の加入者が発呼者識別（ＣＰＩ）サービスに加入すると、図２に示されたＣＰＩルーチンに概略が示された手順が行われる。Ａ側からＢ側への呼は、Ａ番号、Ｂ番号、その他のルーティング情報を備えたＧＭＳＣ１２で受信される（ブロック３２）。“Ｂ”の現在の位置を突き止めるＧＭＳＣの問合せ手順の一部として、ＧＭＳＣ１２は、Ａ番号を、ルーティング情報のための普通の要求と一緒に、ＨＬＲ１６に送る（ブロック３４）。Ｂ側が、ＣＰＩサービスへのアクチブ加入者であるかどうかが判定される（ブロック３６）。本実施の形態では、この判定をＨＬＲノード１６で行うのに、Ｂの加入者データ記録をチェックして、ＣＰＩフラグがセットされているかどうかを判定する。もし、ＣＰＩフラグがセットされていなければ、つまり、Ｂが現在ＣＰＩサービスに加入しなければ、上記のルーティング及び呼セットアップ手順が行われる（ブロック３８）。
【００２５】
しかしながら、もしＢが現在ＣＰＩサービスに加入しているなら、Ｂが現在ローミング番号を要求する位置にあるサービングＭＳＣ／ＶＬＲノードにＨＬＲがコンタクトを取ると、ＨＬＲもＡ番号をサービングＭＳＣ／ＶＬＲに送る（ブロック４０）。サービングＭＳＣ／ＶＬＲはＡ番号を記憶し、要求されたローミング番号をＨＬＲに送る（ブロック４２）。ＨＬＲは、受け取ったローミング番号をＧＭＳＣに送り（ブロック４４）、ＧＭＳＣは、その呼をＭＳＣ／ＶＬＲにルーティングする（ブロック４６）。次にサービングＭＳＣ／ＶＬＲは、先に受け取られたＡ番号と一緒に、呼を適切な基地局へルーティングする。基地局は、呼とＡ番号をＢ側移動局へ送信する（ブロック５０）。Ｂ側の移動局は、無線リンクを介して呼が受け取られる時に、Ａ番号を表示する。
【００２６】
この手順を使用して、外国の／在圏移動体ネットワーク内でローミングしている移動局の加入者は、ＧＭＳＣとＭＳＣ／ＶＬＲとの間でサポートされているシグナリング能力にもかかわらず、発呼者識別サービスを確実に受け取ることができる。即ち、本発明は、移動局の加入者が外国でローミングする際にしばしば生じる技術的限界又は管理上の限界を克服する解決法を提供する。
【００２７】
図３は、本発明をＧＳＭ型のＰＬＭＮに本発明を応用するためのＳＳ７信号の例を示す。物理層、データ層、ネットワーク層において、それぞれ、ＳＳ７は、メッセージ転送部（ＭＴＰ）レベル１、２、３を使用する。ネットワーク層機能は、いくつかのアプリケーションに対して信号接続制御部（ＳＣＣＰ）を使用しても実現される。ＧＳＭのような移動通信システムに関係する可能なアプリケーションには、電話ユーザ部（ＴＵＰ）、ＩＳＤＮユーザ部（ＩＳＵＰ）、移動通信応用部（ＭＡＰ）、トランザクション機能応用部（ＴＣＡＰ）、トランザクション機能（ＴＣ）などがある。
【００２８】
図３において、ＰＬＭＮの呼がＧＭＳＣで受信されると、送りルーティング情報（ＳＲＩ）メッセージが、発呼者識別（ＣＰＩ）情報即ちＡ番号と一緒に、ＨＬＲに送られる。ＨＬＲは、「ルーティング番号を提供」（ＰＲＮ）メッセージに加えて、ＣＰＩを、サービングＭＳＣ／ＶＬＲに送る。サービングＭＳＣ／ＶＬＲは、ＰＲＮ確認応答信号をＨＬＲに送り返し、ＨＬＲは、ＳＲＩ確認応答信号をＨＬＲからＧＭＳＣに送る。次に、ＩＳＵＰ初期アドレスメッセージ（ＩＡＭ）又は他の信号システムにおける同等のメッセージが、ＧＭＳＣからサービングＭＳＣ／ＶＬＲに送られ、ＧＭＳＣからサービングＭＳＣ／ＶＬＲへのルーティングがなされる。このようにして、本発明は、既存の信号システムをほんの少し変更するだけで、ＧＭＳＣ、ＨＬＲ、サービングＭＳＣ／ＶＬＲノードの間のシグナリングに簡単に導入することができる。
【００２９】
本発明は、また、専用番号プランの一部である移動局の加入者用の発呼者識別サービスを提供するのにも応用することができる。例えば、そのような専用番号プランは、仮想私設網（ＶＰＮ）の環境で記述されている。次に、図４に示された機能ブロック図を参照する。図１と同じ構成要素には、同じ参照番号がつけてある。
【００３０】
ＶＰＮサービスを導入する１例では、インテリジェントネットワーク（ＩＮ）あるいは、アドヴァンストインテリジェントネットワーク（ＡＩＮ）型のモデルが使用される。技術的背景で参照された移動体ネットワークエンハンスト論理用カスタマイズドアプリケーション（ＣＡＭＥＬ）は、そのような導入の１例である。
【００３１】
ゲートウェイ移動交換局１２は、サービス交換機能（ＳＳＦ）７２と呼ばれる機能エンティティを備え、それが、ＧＭＳＣ１２をサービス制御ポイント（ＳＣＰ）６２にインタフェースさせる。サービス交換機能７２は、インテリジェントネットワークで使用されているのと同様であるが、ＰＬＭＮｓと整合性を持つ異なったトリガリング機構を使用している。サービス論理処理が必要になるかもしれない呼処理における点は、検出ポイント（ＤＰ）によってトリガーされる。サービス制御ポイント６２は、影響されるサービスに対応するサービス論理６４を備える。この図においては、特に、ＶＰＮサービス論理６６が示されている。サービス論理が使用するサービスデータベース６８は、この例に従って、専用番号プラン電話番号７０を備える。
【００３２】
移動体に宛てられた／終端する呼がＧＭＳＣ１２におけるＰＬＭＮ内で受信され、そして、おそらくは、ＨＬＲに問合せがなされると、サービス交換機能は、ＩＮ型のサービスがトリガーされるべきかを判定する。ＧＭＳＣ／ＳＳＦは、宛先番号のような呼データを分析することによって、あるいは、被呼側Ｂが終端ＩＮ基準サービスを持っているというＨＬＲからの指示を分析することによってそのサービスがトリガーされるかを決める。その結果、サービス交換機能７２は、サービス制御ポイント６２に問い合わせを開始する。Ａ番号、Ｂ番号、その他の呼データがＧＭＳＣ／ＳＳＦからサービス制御ポイント６２に送られる。サービス制御ポイント６２は、問い合わせを分析して、ＶＰＮサービス論理６６を立ち上げる。専用番号プランデータベース７０を使用して、ＶＰＮサービス論理６６は、従来のＡ番号を、専用番号プランデータベース７０からの対応する専用Ａ番号に変換する。例えば、専用Ａ番号は、４，５桁のいわゆる短縮番号であるかも知れない。加入者名や内線など、その他の発呼者識別を採用することもできる。専用Ａ番号は、ＧＳＭＮ／ＳＳＦに戻され、ＧＭＳＣは、図２で説明したのと同様の問合せ手順とルーティング手順を開始する。
【００３３】
図５は、本発明の応用例に基づく、仮想私設網（ＶＰＮ）ルーチン８０における発呼者識別（ＣＰＩ）サービスの概要を示すフローチャートである。ＧＭＳＣは、Ａ側から移動局の加入者Ｂへの、Ａ番号、Ｂ番号、その他の呼データを含む呼を受信する（ブロック８２）。この例では、着呼者Ｂは、Ｂ側と関連するある種の専用特定情報を持つ専用番号プランを備えた仮想私設網に加入している。初期のルーティング問合せ手順の一部として、ＧＭＳＣは、ＨＬＲから、Ｂ側が、立ち上げられなければならないＢ終端ＩＮ基準サービスを持っていることの指示を受け取る。次に、サービス交換機能（ＳＳＦ）が立ち上げられ、Ａ番号、Ｂ番号、その他の呼データを送るＳＣＰに問い合わせを行う（ブロック８６）。
【００３４】
ＳＣＰによってＶＰＮが立ち上げられ、Ａ番号を専用Ａ番号に変換する（ブロック８８）。専用Ａ番号が、ＧＭＳＣ／ＳＳＦに返され、その際、Ｂへの呼をセットアップすべきであるとの指示が一緒に返される（ブロック９０）。ＧＭＳＣは、専用Ａ番号をＨＬＲに送る（ブロック９２）。ＨＬＲは、Ｂが現在位置しているエリアにサービスを行っているＭＳＣ／ＶＬＲノードとコンタクトを取り、ローミング番号を要求する。ＨＬＲは、また、専用Ａ番号をサービングＭＳＣ／ＶＬＲに送る（ブロック９４）。サービングＭＳＣ／ＶＬＲは、専用Ａ番号とローミング番号を記憶し、ローミング番号をＨＬＲに送る（ブロック９６）。ＨＬＲは、ローミング番号をＧＭＳＣに送り、ＧＭＳＣは、呼をＭＳＣ／ＶＬＲにルーティングする（ブロック９８）。サービングＭＳＣ／ＶＬＲは、被呼移動局に報知し、専用Ａ番号を送り（ブロック１００）、Ｂの移動局にＡ番号が表示される（ブロック１０２）。
【００３５】
第１の実施の形態と同様に、本発明の第２の実施の形態も、図６のシグナリングダイヤグラムに示されたように、ＧＳＭ型のＰＬＭＮｓに採用されている既存のＳＳ７信号を使用することによって、簡単に導入することができる。着信するＰＬＭＮの呼は、ＧＭＳＣ／ＳＳＦノードで受信される。送りルーティング情報（ＳＲＩ）信号は、移動通信応用部（ＭＡＰ）プロトコルを使用して、ＨＬＲに送られる。ＳＲＩ信号が受信されたと仮定すると、ＨＬＲは、ＧＭＳＣ／ＳＳＦへ、確認応答を送り返し、ＧＭＳＣ／ＳＳＦは、ＩＮＡＰ／ＣＡＰプロトコルを使用して、初期検出ポイント（ＩＤＰ）をサービス制御ポイントへ送り、ＶＰＮサービスをトリガーする。サービス制御ポイントは、Ａ番号の専用番号への必要な変換を行い、その専用番号をＧＭＳＣへ戻す。ＧＭＳＣは、サービス制御ポイントから受け取ったその専用番号を、ＨＬＲへの送りルーティング情報（ＳＲＩ）メッセージと結合する。ＨＬＲは、提供された専用発呼者番号を、ルーティング番号メッセージ（ＰＲＮ）と一緒に、サービングＭＳＣ／ＶＬＲに送る。サービングＭＳＣ／ＶＬＲは、ＰＲＮ信号の確認応答をＨＬＲに行い、ＨＬＲはＳＲＩ信号の確認応答をＧＭＳＣに送る。次に、ＩＳＵＰプロトコルに従った初期アドレスメッセージ（ＩＡＭ）が、ＧＭＳＣからサービングＭＳＣ／ＶＬＲに送られる。
【００３６】
以上、本発明を、最も現実的な好ましい実施の形態と関連して説明してきたが、本発明は、以上の開示に限定されるべきものではなく、本発明の精神、添付された請求の範囲内で、様々な変更や等価の配設が可能である。
【図面の簡単な説明】
【図１】  本発明の第１の実施の形態による機能ブロック図である。
【図２】  図１に示された本発明の実施の形態を実現する手順を示すフローチャートである。
【図３】  本発明の第１の実施の形態を導入するのに使用される信号を、シグナリングシステム番号７（Signaling System Number 7, SS7）環境において示す部分的シグナリングダイヤグラムである。
【図４】  仮想私設網（virtual private networks, VPNs）に応用された本発明の第２の実施の形態である。
【図５】  本発明の第２の実施の形態を導入するための手順を示すフローチャートである。
【図６】  本発明の第２の実施の形態を導入するのに使用される信号を、ＳＳ７環境において示す部分的シグナリングダイヤグラムである。
【図１】
0004287041.tif 000002
【図２】
0004287041.tif 000003
【図３】
0004287041.tif 000004
【図４】
0004287041.tif 000005
【図５】
0004287041.tif 000006
【図６】
0004287041.tif 000007